(57)【要約】【課題】眼鏡用アタッチメントの眼鏡に対する位置決め作業および着脱作業を容易にするための技術を提供する。【解決手段】眼鏡用アタッチメントの着脱機構は、眼鏡のつるの外側に固定的に取付けられる第１部材１０と、眼鏡用アタッチメントに固定的に取付けられる第２部材２０と、を有している。第１部材１０は、その厚み方向の端部から中央部分に向かって徐々に膨らんだ樽形状に構成されており、眼鏡２００に固定的に取付けられる。第２部材２０は、第１部材１０の形状に対応する形状の貫通孔２４を有しており、画像表示装置１００に固定的に取付けられる。画像表示装置１００の眼鏡２００への取付けは、第１部材１０を第２部材２０の貫通孔２４に押し込み、第１部材１０を第２部材２０の貫通孔２４に嵌め込むことによって行われ、位置決めする必要なくワンタッチで取付けを行うことができる。【選択図】図５
2010091748.tif 000002
【特許請求の範囲】
【請求項１】
眼鏡の２本のつるのうちの少なくとも一方である取付つるに所定の眼鏡用アタッチメントを着脱可能に取付けるための眼鏡用アタッチメントの着脱機構であって、
前記取付つるの外側に固定的に取付けられる第１部材と、
前記眼鏡用アタッチメントに固定的に取付けられる第２部材と、を有しており、
前記第１部材は、凸部と、前記第１部材を前記取付つるの外側に取付けるための眼鏡取付部と、を備えており、
前記第２部材は、前記第１部材の前記凸部の形状に対応する形状の凹部と、前記第２部材を前記眼鏡用アタッチメントに取付けるためのアタッチメント取付部と、を備えており、
前記第１部材の前記凸部は、前記第２部材の前記凹部に、着脱自在に嵌め込むことができ、それにより前記第１部材を前記第２部材に固定できるように構成されている、
着脱機構。
【請求項２】
前記第１部材の前記凸部は、円柱形状に構成されており、
前記円柱形状の凸部を前記第２部材の前記凹部に嵌め込んだ際、前記凹部は、前記円柱形状の凸部の軸周り方向に摺動可能となり、かつ任意の角度で固定できる、請求項１記載の着脱機構。
【請求項３】
前記第１部材の前記凸部は、その厚み方向の端部から中央部分に向かって徐々に膨らんだ樽形状に構成されており、
前記樽形状の凸部を前記第２部材の前記凹部に嵌め込んだ際、前記凹部は、前記樽形状の凸部の軸周り方向および前記軸周り方向と略垂直な方向に摺動可能となる、請求項１記載の着脱機構。
【請求項４】
前記第２部材は、断面略Ｕ字型に形成されたＵ字部材と、バネと、を備えており、
前記Ｕ字部材は、変形可能な程度の弾性を有しており、
前記バネは、その力が前記Ｕ字部材の端部同士を近接させる方向に働くように前記Ｕ字部材に取付けられ、前記Ｕ字部材の内側の面により前記凹部が形成されており、
前記凹部の径よりも径の大きい部分を含む前記凸部が前記凹部に嵌め込まれる場合、前記Ｕ字部材の端部同士が前記バネの力に抗して離れることにより、前記凹部の径の大きさが、前記凹部の径よりも径の大きい前記凸部の部分を受け入れられる程度まで広がるようになっているとともに、前記凹部の径よりも径の大きい前記凸部の部分を前記凹部に受入れた状態で、前記Ｕ字部材の端部同士が前記バネの力により近接することにより、前記凹部が前記凸部をその内面で押圧するようになっている、
請求項３記載の着脱機構。
【請求項５】
前記着脱機構は、前記眼鏡の前記取付つるに、所定のネジのネジ軸をその内側から外側に貫通させることができる程度の大きさのネジ孔が１つ以上設けられている場合に用いられるものであり、
前記第１部材の前記凸部には、前記取付つるにおけるネジ孔の相対的な位置に対応する位置に、前記眼鏡取付部となる支持孔が設けられており、
前記取付つるに設けられた前記ネジ孔を貫通した前記ネジ軸を前記支持孔に螺合させることで、前記第１部材を前記取付つるに取付けられるようになっている、
請求項１ないし４のいずれかの項記載の着脱機構。
【請求項６】
前記第２部材の凹部は、その厚み方向に貫通する孔とされている、
請求項１ないし５のいずれかの項記載の着脱機構。
【請求項７】
前記第２部材は、前記第１部材の厚みと略同一の厚みを有する部材である、
請求項６記載の着脱機構。
【請求項８】
２本のつるを備えており、その２本の前記つるを用いて使用者の身体に固定できるようにされた眼鏡と組み合わせて用いられる眼鏡用取付ユニットであって、
２本の前記つるのうちの少なくとも一方である取付けつるに取付けられる眼鏡用アタッチメントと、
前記眼鏡用アタッチメントを前記眼鏡に着脱自在に取付けるための眼鏡用アタッチメントの着脱機構と、を有しており、
前記着脱機構は、
前記取付つるの外側に固定的に取付けられる第１部材と、
前記眼鏡用アタッチメントに固定的に取付けられる第２部材と、を有しており、
前記第１部材は、凸部と、前記第１部材を前記取付つるの外側に取付けるための眼鏡取付部と、を備えており、
前記第２部材は、前記第１部材の前記凸部の形状に対応する形状の凹部と、前記第２部材を前記眼鏡用アタッチメントに取付けるためのアタッチメント取付部と、を備えており、
前記第１部材の前記凸部は、前記第２部材の前記凹部に、着脱自在に嵌め込むことができ、それにより前記第１部材を前記第２部材に固定できるように構成されている、
眼鏡用取付ユニット。
【請求項９】
前記眼鏡用アタッチメントは、前記着脱機構により前記取付つるに取付けて使用する際、使用者の身体に前記眼鏡が固定された場合における前記取付けつるに近い側に位置する使用者の一方の眼の前の使用位置に位置するようになっているとともに、所定の画像の像光を前記一方の眼に導くことによって、当該一方の眼の視野の一部である表示範囲に存在するような状態で当該一方の眼で前記画像を見られるようにする表示手段を備えた画像表示装置である、
請求項８記載の眼鏡用取付ユニット。
【請求項１０】
２本のつるを備える眼鏡の、２本の前記つるのうちの少なくとも一方である取付けつるに取付けられて用いられる眼鏡用アタッチメントと組み合わせて用いられる眼鏡ユニットであって、
２本のつるを備えており、その２本の前記つるを用いて使用者の身体に固定できるようにされた眼鏡と、
前記眼鏡用アタッチメントを前記眼鏡に着脱自在に取付けるための眼鏡用アタッチメントの着脱機構と、を有しており、
前記着脱機構は、
前記取付つるの外側に固定的に取付けられる第１部材と、
前記眼鏡用アタッチメントに固定的に取付けられる第２部材と、を有しており、
前記第１部材は、凸部と、前記第１部材を前記取付つるの外側に取付けるための眼鏡取付部と、を備えており、
前記第２部材は、前記第１部材の前記凸部の形状に対応する形状の凹部と、前記第２部材を前記眼鏡用アタッチメントに取付けるためのアタッチメント取付部と、を備えており、
前記第１部材の前記凸部は、前記第２部材の前記凹部に、着脱自在に嵌め込むことができるように構成されている、
眼鏡ユニット。
【請求項１１】
２本のつるを備えており、その２本の前記つるを用いて使用者の身体に固定できるようにされた眼鏡であり、
２本の前記つるのうちの少なくとも一方である取付けつるに取付けられる眼鏡用アタッチメントを前記眼鏡に着脱自在に取付けるためのものであり、前記取付つるの外側に固定的に取付けられる第１部材と、前記眼鏡用アタッチメントに固定的に取付けられる第２部材とを有し、かつ前記第１部材が凸部を、前記第２部材が前記第１部材の前記凸部の形状に対応する形状の凹部、及び前記第２部材を前記眼鏡用アタッチメントに取付けるためのアタッチメント取付部をそれぞれ備えているとともに、前記第１部材の前記凸部が前記第２部材の前記凹部に、着脱自在に嵌め込むことができるように構成されており、かつ前記第１部材の前記凸部が、所定のネジを支持する支持孔を有している眼鏡用アタッチメントの着脱機構、と組み合わせて用いられる眼鏡であって、
前記取付つるには、前記第１部材における前記支持孔の相対的な位置に対応する位置にある孔であって、前記所定のネジにより、前記支持孔と螺合させることができるネジ孔が設けられており、
前記取付つるに設けられた前記ネジ孔を貫通した前記所定のネジのネジ軸の部分を前記支持孔に嵌め込むことで、前記第１部材を前記取付つるに取付けられるようになっている、
眼鏡。
【請求項１２】
凹部を有する凹部部材が固定的に取付けられており、２本のつるを備えた眼鏡の、２本の前記つるのうちの少なくとも一方である取付けつるに取付けて使用される眼鏡用アタッチメント、と組み合わせて用いられる眼鏡であって、
眼鏡の前記取付つるの外側には、前記眼鏡用アタッチメントを着脱自在に取付けるための凸部が形成されており、
前記凸部は、前記眼鏡用アタッチメントに取付けられている前記凹部部材の形状に対応する形状に構成されており、前記凹部部材に、着脱自在に嵌め込むことができるように構成されている、
眼鏡。
【請求項１３】
２本のつるを備えており、その２本の前記つるを用いて使用者の身体に固定できるようにされた眼鏡と、
２本の前記つるのうちの少なくとも一方である取付けつるに取付けられる眼鏡用アタッチメントと、
前記眼鏡用アタッチメントを前記眼鏡に着脱自在に取付けるための眼鏡用アタッチメントの着脱機構と、を有しており、
前記着脱機構は、
前記取付つるの外側に固定的に取付けられる第１部材と、
前記眼鏡用アタッチメントに固定的に取付けられる第２部材と、を有しており、
前記第１部材は、凸部と、前記第１部材を前記取付つるの外側に取付けるための眼鏡取付部と、を備えており、
前記第２部材は、前記第１部材の前記凸部の形状に対応する形状の凹部と、前記第２部材を前記眼鏡用アタッチメントに取付けるためのアタッチメント取付部と、を備えており、
前記第１部材の前記凸部は、前記第２部材の前記凹部に、着脱自在に嵌め込むことができるように構成されている、
眼鏡システム。
【発明の詳細な説明】
【技術分野】
【０００１】
本発明は、眼鏡に眼鏡用アタッチメントを着脱自在に取付けるための眼鏡用アタッチメントの着脱機構に関する。
【背景技術】
【０００２】
眼鏡は、普段の生活において使用者の耳にかけて使用されるものであり、この眼鏡に様々なものを取付けて使用すると便利であると考えられる。
例えば、小型の画像表示装置を眼鏡に取付けてヘッドマウントディスプレイとして使用したり、小型のカメラを眼鏡に取付けて自分の視界に入るものを撮影したりすることが考えられる。
このような小型の画像表示装置やカメラ等のような眼鏡に取付けて使用される眼鏡用アタッチメントは、使用時に眼鏡に取付けて使用することができると共に、その不使用時には眼鏡から取り外し、眼鏡自体を通常の眼鏡として使用できるように、眼鏡から着脱自在に構成される必要がある。
【０００３】
眼鏡用アタッチメントを、眼鏡に着脱自在に取付けるのに用いられる取付部材としては、例えば一対の磁石部材があげられる。この磁石部材は、眼鏡のつるが金属である場合に用いられるもので、眼鏡用アタッチメントに固定的に取付ける一方の磁石部材と、取付け時に眼鏡のつるの内側（眼鏡をかけたとき、使用者の体に近い側）に載置される他方の磁石部材とを有しており、この一対の磁石部材の間に眼鏡のつるを挟み込み、その磁力により両磁石部材を眼鏡のつるに吸着させることによって、眼鏡用アタッチメントを眼鏡に着脱自在に取付けるようになっている。
また、眼鏡用アタッチメントを眼鏡に着脱自在に取付ける方法として、眼鏡用アタッチメントの外側に所定のネジを嵌め込むための支持孔を設けるとともに、眼鏡のつるにこの所定のネジのネジ軸を貫通させることができるネジ孔を設けておき、必要に応じて所定のネジを眼鏡のつるのネジ孔にその内側から外側（眼鏡をかけたとき、使用者の体から遠い側）に貫通させ、ネジ孔を貫通したネジ軸の部分を支持孔に嵌め込むことにより、眼鏡用アタッチメントを眼鏡に着脱自在に取付けることも考えられる。
これらの取付け方法によれば、眼鏡用アタッチメントを眼鏡に着脱可能に取付けることができる。
【０００４】
しかしながら、前者のように眼鏡への眼鏡用アタッチメントの取付けに磁石部材を使用する場合、取付けた眼鏡用アタッチメントの位置が適切な位置となるように磁石の位置を調整しながら眼鏡のつるを挟み込む必要がある。また、後者のように眼鏡への眼鏡用アタッチメントの取付けにネジを用いる場合、所定のネジを眼鏡のつるのネジ孔にその内側から外側に挿入し、ネジ孔を貫通したネジ軸の部分を支持孔に嵌め込む取付け作業や、支持孔からネジを取り外す取り外し作業を行う必要がある。
すなわち、上述のような従来の取付け方では、眼鏡用アタッチメントの位置決め作業および着脱作業に手間がかかるものとなっていた。
眼鏡用アタッチメントは、その使用時には眼鏡に取付けて用いられるとともに、その不使用時には眼鏡から取り外され、眼鏡に対する頻繁な着脱が予定されているものであり、位置決め作業や着脱作業に手間がかかることは、眼鏡用アタッチメントを使用することを眼鏡の使用者が敬遠する原因にもなりかねない。
【発明の開示】
【発明が解決しようとする課題】
【０００５】
本発明は、以上のような問題点を解消するものであり、眼鏡用アタッチメントの眼鏡に対する位置決め作業および着脱作業を容易にするための技術を提供することを目的とする。
【課題を解決するための手段】
【０００６】
本願発明者は、以下の着脱機構、眼鏡用取付ユニット、眼鏡ユニット、眼鏡、および眼鏡システムを、上述の課題を解決することのできる発明として提案する。
【０００７】
本願発明の、着脱機構は、以下のようなものである。
すなわち、本発明の着脱機構は、眼鏡の２本のつるのうちの少なくとも一方である取付つるに所定の眼鏡用アタッチメントを着脱可能に取付けるための眼鏡用アタッチメントの着脱機構であって、前記取付つるの外側に固定的に取付けられる第１部材と、前記眼鏡用アタッチメントに固定的に取付けられる第２部材と、を有している。
そして、この第１部材は、凸部と、前記第１部材を前記取付つるの外側に取付けるための眼鏡取付部と、を備えており、前記第２部材は、前記第１部材の前記凸部の形状に対応する形状の凹部と、前記第２部材を前記眼鏡用アタッチメントに取付けるためのアタッチメント取付部と、を備えており、前記第１部材の前記凸部は、前記第２部材の前記凹部に、着脱自在に嵌め込むことができ、それにより前記第１部材を前記第２部材に固定できるように構成されている。
このような着脱機構によれば、眼鏡用アタッチメントの取付作業は、眼鏡の取付つるに固定的に取付けられる第１部材の凸部を、眼鏡用アタッチメントに固定的に取付けられる第２部材の凹部に嵌め込むだけでよく、ワンタッチで、眼鏡用アタッチメントの眼鏡への取付けを行うことができる。また、眼鏡用アタッチメントの取り外し作業は、眼鏡の取付つるに固定的に取付けられる第１部材の凸部を、眼鏡用アタッチメントに固定的に取付けられる第２部材の凹部から引き抜くだけでよく、ワンタッチで眼鏡用アタッチメントの眼鏡からの取り外しを行うことができる。要するに、この着脱機構によれば、眼鏡用アタッチメントの眼鏡への位置決め作業が不要であり、また、着脱作業を容易にすることができる。
【０００８】
眼鏡用アタッチメントは、眼鏡に取付けて使用するものであればどのようなものでもよい。
例えば、眼鏡用アタッチメントは、前記眼鏡用アタッチメントの着脱機構により前記取付つるに取付けて使用する際、使用者の身体に前記眼鏡が固定された場合における前記取付けつるに近い側に位置する使用者の一方の眼の前の使用位置に位置するようになっているとともに、所定の画像の像光を前記一方の眼に導くことによって、当該一方の眼の視野の一部である表示範囲に存在するような状態で当該一方の眼で前記画像を見られるようにする表示手段を備えた画像表示装置であってもよい。このような画像表示装置を眼鏡の取付つるに取付けることで、当該眼鏡との組み合わせによりヘッドマウント型表示装置が構成される。
また、眼鏡用アタッチメントは、小型カメラや携帯用音楽再生装置であってもよい。
【０００９】
第１部材の凸部および第２部材の凹部の形状は、互いに対して嵌め込み可能な形状に形成されていればどのような形状であってもよい。
【００１０】
例えば、前記第１部材の前記凸部は、円柱形状に構成されており、前記円柱形状の凸部を前記第２部材の前記凹部に嵌め込んだ際、前記凹部は、前記円柱形状の凸部の軸周り方向に摺動可能となり、かつ任意の角度で固定できるようになっていてもよい。
眼鏡用アタッチメントとして小型の画像表示装置を採用し、それを眼鏡に取付けて画像を見る場合、画像が見やすい場所に画像表示装置が位置するように、画像表示装置の向きや角度を調整することができれば使い勝手がよいものとなる。また、眼鏡用アタッチメントとして小型のカメラ採用し、それを眼鏡に取付けて所定の撮像対象物を撮像する場合、適切に撮像対象物の撮像を行えるように、小型のカメラの向きや角度を調整することができれば使い勝手がよいものとなる。
上述のような形状に構成された凸部とこれに対応する形状の凹部とを有する着脱機構によれば、凹部が円柱形状の凸部の軸周り方向に摺動可能となっているので、この着脱機構により眼鏡に取付けられた眼鏡用アタッチメントを凸部の軸周り方向に動かすことができ、眼鏡用アタッチメントの眼鏡に対する向き（眼鏡をかけた使用者の眼の上下方向の位置）を調整することができる。
【００１１】
また、前記第１部材の前記凸部は、その厚み方向の端部から中央部分に向かって徐々に膨らんだ樽形状に構成されており、前記樽形状の凸部を前記第２部材の前記凹部に嵌め込んだ際、前記凹部は、前記樽形状の凸部の軸周り方向および前記軸周り方向と略垂直な方向に摺動可能となっていてもよい。
このような着脱機構によれば、凹部が樽形状の凸部の軸周り方向および軸周り方向と略垂直な方向に摺動可能となっているので、この着脱機構により眼鏡に取付けられた眼鏡用アタッチメントを、凸部の軸周り方向に加え、軸周り方向と略垂直な方向に動かすことができ、眼鏡用アタッチメントの眼鏡に対する向きや角度（眼鏡をかけた使用者の眼の左右方向の位置）を調整することができる。つまり、この着脱機構を用いれば、眼鏡に取付けられた眼鏡用アタッチメントの向きや角度を調整することができるようにしながら、眼鏡用アタッチメントを眼鏡に着脱自在に取付けることができるようになる。
【００１２】
この樽形状に構成された第１部材と共に用いられる第２部材は、例えば以下のように構成することができる。
この第２部材は、断面略Ｕ字型に形成されたＵ字部材と、バネと、を備えており、前記Ｕ字部材は、変形可能な程度の弾性を有しており、前記バネは、その力が前記Ｕ字部材の端部同士を近接させる方向に働くように前記Ｕ字部材に取付けられ、前記Ｕ字部材の内側の面により前記凹部が形成されており、前記凹部の径よりも径の大きい部分を含む前記凸部が前記凹部に嵌め込まれる場合、前記Ｕ字部材の端部同士が前記バネの力に抗して離れることにより、前記凹部の径の大きさが、前記凹部の径よりも径の大きい前記凸部の部分を受け入れられる程度まで広がるようになっているとともに、前記凹部の径よりも径の大きい前記凸部の部分を前記凹部に受入れた状態で、前記Ｕ字部材の端部同士が前記バネの力により近接することにより、前記凹部が前記凸部をその内面で押圧するようになっている。
このような第２部材によれば、凹部への凸部の嵌め込み、凹部からの凸部の引き抜きを簡単に行うことができる。
【００１３】
前記着脱機構は、前記眼鏡の前記取付つるに、所定のネジのネジ軸をその内側から外側に貫通させることができる程度の大きさのネジ孔が１つ以上設けられている場合に用いられるものであり、前記第１部材の前記凸部には、前記取付つるにおけるネジ孔の相対的な位置に対応する位置に、前記眼鏡取付部となる支持孔が設けられており、前記取付つるに設けられた前記ネジ孔を貫通した前記ネジ軸を前記支持孔に螺合させることで、前記第１部材を前記取付つるに取付けられるようになっているようにすることができる。
【００１４】
前記第２部材の凹部は、底を有する穴部であってもよいが、その厚み方向に貫通する孔とされていてもよい。
後者のような凹部を有する第２部材は、前記第１部材の厚みと略同一の厚みを有する部材とすることができる。このように第１部材の厚みと第２部材の厚みが略同一であれば、第１部材の凸部を第２部材の凹部に貫通させて嵌め込んだ際、着脱機構の厚みは第１部材または第２部材の厚みと略同一となり、着脱機構が嵩張らないようになる。
【００１５】
次に、本願発明者が提案する眼鏡用取付ユニットについて説明する。
本願の眼鏡用取付ユニットは、２本のつるを備えており、その２本の前記つるを用いて使用者の身体に固定できるようにされた眼鏡と組み合わせて用いられるものである。
そしてこの眼鏡用取付ユニットは、２本の前記つるのうちの少なくとも一方である取付けつるに取付けられる眼鏡用アタッチメントと、前記眼鏡用アタッチメントを前記眼鏡に着脱自在に取付けるための眼鏡用アタッチメントの着脱機構と、を有しており、前記着脱機構は、前記取付つるの外側に固定的に取付けられる第１部材と、前記眼鏡用アタッチメントに固定的に取付けられる第２部材と、を有している。前記第１部材は、凸部と、前記第１部材を前記取付つるの外側に取付けるための眼鏡取付部と、を備えており、前記第２部材は、前記第１部材の前記凸部の形状に対応する形状の凹部と、前記第２部材を前記眼鏡用アタッチメントに取付けるためのアタッチメント取付部と、を備えており、前記第１部材の前記凸部は、前記第２部材の前記凹部に、着脱自在に嵌め込むことができ、それにより前記第１部材を前記第２部材に固定できるように構成されている。
このような眼鏡と組み合わせて用いられる眼鏡用取付ユニットは、上述した着脱機構を有しているので、任意の眼鏡に第１部材を取付けることで、眼鏡用アタッチメントを眼鏡に着脱容易に取付けることができる。
【００１６】
次に、本願発明者が提案する眼鏡ユニットについて説明する。
本願の眼鏡ユニットは、２本のつるを備える眼鏡の、２本の前記つるのうちの少なくとも一方である取付けつるに取付けられて用いられる眼鏡用アタッチメントと組み合わせて用いられるものである。
そしてこの眼鏡ユニットは、２本のつるを備えており、その２本の前記つるを用いて使用者の身体に固定できるようにされた眼鏡と、前記眼鏡用アタッチメントを前記眼鏡に着脱自在に取付けるための眼鏡用アタッチメントの着脱機構と、を有しており、前記着脱機構は、前記取付つるの外側に固定的に取付けられる第１部材と、前記眼鏡用アタッチメントに固定的に取付けられる第２部材と、を有しており、前記第１部材は、凸部と、前記第１部材を前記取付つるの外側に取付けるための眼鏡取付部と、を備えており、前記第２部材は、前記第１部材の前記凸部の形状に対応する形状の凹部と、前記第２部材を前記眼鏡用アタッチメントに取付けるためのアタッチメント取付部と、を備えており、前記第１部材の前記凸部は、前記第２部材の前記凹部に、着脱自在に嵌め込むことができるように構成されている。
このような眼鏡と組み合わせて用いられる眼鏡ユニットは、上述した着脱機構を有しているので、任意の眼鏡用アタッチメントに第２部材を取付けることで、眼鏡用アタッチメントを眼鏡に着脱自在に取付けることができる。
【００１７】
次に、本願発明者が提案する眼鏡について説明する。
本願の眼鏡は、２本のつるを備えており、その２本の前記つるを用いて使用者の身体に固定できるようにされた眼鏡であり、２本の前記つるのうちの少なくとも一方である取付けつるに取付けられる眼鏡用アタッチメントを前記眼鏡に着脱自在に取付けるためのものであり、前記取付つるの外側に固定的に取付けられる第１部材と、前記眼鏡用アタッチメントに固定的に取付けられる第２部材とを有し、かつ前記第１部材が凸部を、前記第２部材が前記第１部材の前記凸部の形状に対応する形状の凹部、及び前記第２部材を前記眼鏡用アタッチメントに取付けるためのアタッチメント取付部をそれぞれ備えているとともに、前記第１部材の前記凸部が前記第２部材の前記凹部に、着脱自在に嵌め込むことができるように構成されており、かつ前記第１部材の前記凸部が、所定のネジを支持する支持孔を有している眼鏡用アタッチメントの着脱機構、と組み合わせて用いられる眼鏡である。
この眼鏡の取付つるには、前記第１部材における前記支持孔の相対的な位置に対応する位置にある孔であって、前記所定のネジにより、前記支持孔と螺合させることができるネジ孔が設けられており、前記取付つるに設けられた前記ネジ孔を貫通した前記所定のネジのネジ軸の部分を前記支持孔に嵌め込むことで、前記第１部材を前記取付つるに取付けられるようになっている。
このような着脱機構と組み合わせて用いられる眼鏡には、上述した着脱機構の第１部材を取付けることができるネジ孔が設けられているので、眼鏡に第１部材を取付け、任意の眼鏡用アタッチメントに第２部材を取付けることで、眼鏡用アタッチメントを眼鏡に着脱容易に取付けることができる。
【００１８】
また、本願発明者は、凹部を有する凹部部材が固定的に取付けられており、２本のつるを備えた眼鏡の、２本の前記つるのうちの少なくとも一方である取付けつるに取付けて使用される眼鏡用アタッチメント、と組み合わせて用いられる眼鏡を提案する。
この眼鏡の前記取付つるの外側には、前記眼鏡用アタッチメントを着脱自在に取付けるための凸部が形成されており、前記凸部は、前記眼鏡用アタッチメントに取付けられている前記凹部部材の形状に対応する形状に構成されており、前記凹部部材に、着脱自在に嵌め込むことができるように構成されている。
このような眼鏡は、その取付つるの外側に、上述した着脱機構の第１部材の凸部に相当する凸部が形成されているので、任意の眼鏡用アタッチメントに取付けられた凹部部材にこの凸部を嵌め込むことができ、眼鏡用アタッチメントを眼鏡に着脱容易に取付けることができる。
【００１９】
次に、本願発明者が提案する眼鏡システムについて説明する。
本願の眼鏡システムは、２本のつるを備えており、その２本の前記つるを用いて使用者の身体に固定できるようにされた眼鏡と、２本の前記つるのうちの少なくとも一方である取付けつるに取付けられる眼鏡用アタッチメントと、前記眼鏡用アタッチメントを前記眼鏡に着脱自在に取付けるための眼鏡用アタッチメントの着脱機構と、を有している。
前記着脱機構は、前記取付つるの外側に固定的に取付けられる第１部材と、前記眼鏡用アタッチメントに固定的に取付けられる第２部材と、を有しており、前記第１部材は、凸部と、前記第１部材を前記取付つるの外側に取付けるための眼鏡取付部と、を備えており、前記第２部材は、前記第１部材の前記凸部の形状に対応する形状の凹部と、前記第２部材を前記眼鏡用アタッチメントに取付けるためのアタッチメント取付部と、を備えており、前記第１部材の前記凸部は、前記第２部材の前記凹部に、着脱自在に嵌め込むことができるように構成されている。
このような眼鏡システムは、上述した着脱機構を有しているので、眼鏡用アタッチメントを眼鏡に着脱自在に取付けることができる。
【発明を実施するための最良の形態】
【００２０】
以下、本発明の好ましい一実施形態を、図面を参照しながら詳細に説明する。
【００２１】
この実施形態では、２本のつるを備えており、その２本のつるを用いて使用者の身体に固定できるようにされた眼鏡と、この眼鏡の２本のつるのうちの少なくとも一方である取付けつるに取付けられる眼鏡用アタッチメントと、眼鏡用アタッチメントを眼鏡に着脱自在に取付けるための眼鏡用アタッチメントの着脱機構（単に、「着脱機構」という場合がある。）と、を有する、眼鏡システムについて説明を行う。
【００２２】
まず、本実施形態の眼鏡用アタッチメントの着脱機構について説明する。
この実施形態における着脱機構は、眼鏡のつるの外側に固定的に取付けられる第１部材と、眼鏡用アタッチメントに固定的に取付けられる第２部材と、を有している。
【００２３】
図１は、第１部材１０を示す図である。なお、図１（ａ）は、第１部材１０の正面図、図１（ｂ）は、第１部材１０の左側面図である。
この図に示すように、第１部材１０は、その厚み方向の端部から中央部分に向かって徐々に膨らんだ樽形状に構成された部材である。この第１部材１０の一端側の面には、所定のネジのネジ軸を嵌め込むことができるようにねじ切りされた支持孔１１が２つ設けられている。第１部材１０は、本実施形態では樹脂製であるものとして説明する。
【００２４】
図２は、第２部材２０を示す図である。なお、図２（ａ）は、第２部材２０の正面図、図２（ｂ）は、第２部材２０の右側面図である。
この図に示すように、第２部材２０は、断面略Ｕ字型に形成されたＵ字部材２１と、Ｕ字部材２１に取り付けられる固定ネジ２２と、を有しており、第１部材１０の厚みと略同一の厚みを有している。
Ｕ字部材２１は、本実施形態では樹脂製であり、変形可能な程度の弾性を有している。このＵ字部材２１の一端側にはその外側（Ｕ字部材２１の他端側の面と向かい合わない側）から内側（Ｕ字部材２１の他端側の面と向かい合う側）へ固定ネジ２２を貫通させることができる固定ネジ孔２１ａが設けられている。固定ネジ孔２１ａの内周面にはねじ切りはされていない。また、Ｕ字部材２１の他端側には、固定ネジ孔２１ａを貫通した固定ネジ２２のネジ軸部分を嵌め込むことができるようにその内周面にねじ切りされた螺合孔２１ｂが設けられている。
固定ネジ２２のネジ軸のねじ頭側の部分の外周にはコイルバネ２３が巻き付けられている。
この固定ネジ２２は、そのネジ軸をＵ字部材２１の固定ネジ孔２１ａの外側から内側に向けて差し込み、固定ネジ孔２１ａを貫通したネジ軸部分を螺合孔２１ｂの内周面と螺合させることにより、Ｕ字部材２１に取り付けられている。この結果、図２（ａ）に示すように、Ｕ字部材２１の外側の面と固定ネジ２２のネジ頭との間にコイルバネ２３が挟み込まれた状態となり、コイルバネ２３の力がＵ字部材２１の端部同士を近接させる方向に働くようになっている。
固定ネジ２２が取り付けられたＵ字部材２１の内側の面により、貫通孔２４が形成される。この貫通孔２４の形状は、第１部材１０の形状に対応した形状となっている。
また、この第２部材２０の、貫通孔２４を挟んで固定ネジ２２と反対側の部分には、所定のネジのネジ軸を嵌め込むことができるようにねじ切りされた支持孔２５が２つ設けられている。
【００２５】
次に、本実施形態の眼鏡２００について説明する。
本実施形態の眼鏡２００は、図３に示すように、つる２１０と、レンズ２２０と、ブリッジ２３０とを備えている。つる２１０とレンズ２２０はともに２つずつ存在する。ブリッジ２３０はレンズ２２０同士をつなぐものなので１つのみである。つる２１０は、使用者の頭部へ眼鏡２００を固定するものである。２本のつる２１０の先端を使用者の両耳にそれぞれ係止するか、あるいは２本のつるにより使用者の頭部を挟み込むことで、使用者の頭部に眼鏡２００が固定される。
この眼鏡２００のつる２１０には、その所定の位置に、着脱機構の第１部材１０を固定的に取付けるのに使用されるネジ孔２４０が２つ設けられている。このネジ孔２４０は、所定のネジのネジ軸をその内側（眼鏡をかけたとき、使用者の体に近い側）から外側（眼鏡をかけたとき、使用者の体から遠い側）に貫通させることができる、第１部材１０の支持孔１１と略同一の大きさの孔であり、各ネジ孔２４０は、第１部材１０の各支持孔１１に対応する位置に設けられている。
この眼鏡２００には、第１部材１０が固定的に取り付けられている。具体的には、図３に示すように、所定のネジＮ１のネジ軸をネジ孔２４０の内側から外側に差し込んで貫通させ、貫通したネジ軸の部分を支持孔１１に螺合させることにより、第１部材１０が眼鏡２００のつる２１０に固定的に取り付けられている。
なお、この図では、眼鏡２００の右半分の図示を省略する。
【００２６】
次に、眼鏡用アタッチメントについて説明する。
本実施形態においては、眼鏡用アタッチメントとして画像表示装置を用いるものとするが、眼鏡用アタッチメントは眼鏡に取付けて使用するものであればどのようなものであってもよく、例えば小型カメラや音楽再生装置であってもよい。
本実施形態の画像表示装置１００は、本発明の眼鏡用アタッチメントの着脱機構を使用して眼鏡２００に取付けることにより、眼鏡２００とともにヘッドマウント型表示装置を構成するものである。
この画像表示装置１００は、図４に示すように、本体部１１０、画像表示部１２０を備えている。
【００２７】
本体部１１０は、この実施形態では樹脂製とされ、かつこの実施形態では細長い直方体形状とされた中空の本体ケース１１１を備えている。この本体部１１０は、眼鏡２００のつる２１０に沿って固定されるので断面矩形である必要はないが、細長い形状とするのが好ましい。
本体部１１０が備える本体ケース１１１の内部には、モータ１１２、ウォームギア１１３、移動体１１４、本体制御基板１１５が内蔵されている。また、本体ケース１１１には、着脱機構の第２部材２０を固定的に取付けるのに使用される２つのネジ孔１１６と、レール１１７と、板バネ１１８と、接続体１１９が設けられている。
【００２８】
モータ１１２は駆動力を発生させるものであり、図示せぬ電源（一般的には、小型のボタン電池が採用される。この実施形態では、ボタン電池は本体ケース１１１内に配されるがその図示を省略する。）から供給された電力によって駆動するようにされている。モータ１１２は、モータ軸１１２Ａを備えており、モータ軸１１２Ａを任意の方向で回転させることができる。
ウォームギア１１３は、本体ケース１１１の長さ方向に沿って配されている。ウォームギア１１３は、円筒形であり、その外周面にネジ切りがされている。ウォームギア１１３のモータ１１２寄りの端面の中心に、上述したモータ軸１１２Ａの先端が埋め込まれ、固定されている。したがって、ウォームギア１１３は、モータ１１２が駆動し、モータ軸１１２Ａが回転した場合にはそれに伴って回転する。
移動体１１４は、ウォームギア１１３と接しており、ウォームギア１１３の回転に伴って、ウォームギア１１３の長さ方向に移動するものである。この実施形態では、移動体１１４は、着脱機構を使用して画像表示装置１００を眼鏡２００に取付けることによって構成されたヘッドマウント型表示装置の使用時におけるウォームギア１１３の上方に、ウォームギア１１３と接するような状態で配されている。移動体１１４の下方の面にはネジ切りがなされており、ネジ切りされたウォームギア１１３の外周面と噛み合うようになっている。それにより、移動体１１４は、ウォームギア１１３の回転に伴って、ウォームギア１１３の長さ方向に沿って移動するようになっている。なお、移動体１１４の移動方向は、ウォームギア１１３の回転方向によって変化する。
本体制御基板１１５は、モータ１１２を制御するものである。本体制御基板１１５は、図示を省略のアンテナを含んでいる。そのアンテナは、図外のリモコンに設けられた図示せぬスイッチの操作内容を含む信号を受け取ることができるようになっている。その信号は、モータ１１２の駆動を開始することを指示するものであり、かつモータ軸１１２Ａをどちらの方向に回転させるかという内容を含んでいる。本体制御基板１１５はこの信号を、スイッチの操作を契機にリモコンから受付けたときに、その信号の内容に応じてモータ１１２を駆動させる。なお、この実施形態では、外部のリモコンから本体制御基板１１５へのデータの伝送を無線で行ったが、これを有線で行うようにすることも可能である。また、この実施形態では、スイッチを本体部１１０外のリモコンに設けたが、それを本体部１１０や画像表示部１２０に設けることも可能である。
【００２９】
レール１１７は、図６に示したように、上方が開放された断面略コの字型の形状とされ、溝を有している。なお、図６は、レール１１７の周辺を、眼鏡２００のつる２１０の先端側から見た状態を概略で示す図である。
レール１１７は、本体部１１０をつる２１０に固定したときにつる２１０に略沿うようにされており、またその先端が眼鏡２００のレンズ２２０に向けて緩やかにカーブするようにされている。レール１１７の基端は、本体部１１０に固定されている。レール１１７は、板バネ１１８を案内するものである。
板バネ１１８は、レール１１７の半分程の長さとされたバネ性の強い板状の金属板である。板バネ１１８は、図６に示したように、その幅方向がレール１１７の上下方向に伸びる向きでレール１１７の溝に嵌め込まれている。板バネ１１８の基端は、接続体１１９に固定されている。
接続体１１９は、移動体１１４と板バネ１１８とを接続するための部品であり、板状に形成されている。なお、接続体１１９は、移動体１１４の移動範囲であるウォームギア１１３の長さに対応するようにして本体ケース１１１に設けられたスリット１１１Ａを通して、板バネ１１８との接続がなされている部分を本体ケース１１１の外部に露出するようになっている。
【００３０】
ネジ孔１１６は、所定のネジのネジ軸をその内側から外側に貫通させることができる、第２部材２０の支持孔２５と略同一の大きさの孔であり、各ネジ孔１１６は、第２部材２０の各支持孔２５に対応する位置に設けられている。
図４に示すように、所定のネジＮ２のネジ軸をネジ孔１１６の内側（本体ケース１１１の内側）から外側（本体ケース１１１の外側）に差し込んで貫通させ、貫通したネジ軸の部分を支持孔２５に螺合させることにより、第２部材２０が本体部１１０、ひいては画像表示装置１００に固定的に取り付けられている。
【００３１】
次に、画像表示部１２０について説明する。
画像表示部１２０は、接続ユニット１２１を備えている。接続ユニット１２１は、板バネ１１８と、後述する表示部ケース１２２とを接続するものである。
接続ユニット１２１は、その基端で、板バネ１１８の先端に接続されている。また、接続ユニット１２１は、棒状の部材の先端に球状の部材を備えているボール部材１２３を備えている。
表示部ケース１２２は、この実施形態では樹脂製であり、また、この実施形態では略直方体形状にされている。表示部ケース１２２は中空である。表示部ケース１２２の基端側の面には、その内面がボール部材１２３の先端の球状の部材の外面に沿う曲面形状とされた受孔１２２Ａが設けられている。表示部ケース１２２は、この受孔１２２Ａに上述したボール部材１２３先端の球状の部材を嵌め込むことにより、接続ユニット１２１と固定されている。接続ユニット１２１のボール部材１２３と、表示部ケース１２２の受孔１２２Ａは協働して球体関節を構成している。したがって、表示部ケース１２２は、接続ユニット１２１に対して角度を変えられるようにされている。
【００３２】
表示部ケース１２２の内部には、表示部制御基板１２４、ディスプレイ１２５、および自由曲面プリズム１２６が設けられている。
表示部制御基板１２４は、ディスプレイ１２５の表示を制御するものとなっている。表示部制御基板１２４は、画像を表示するためのデータをディスプレイ１２５に送り、ディスプレイ１２５に適切な画像を表示させる。表示部制御基板１２４は、表示部ケース１２２の外部から画像についてのデータを受けてそれをディスプレイ１２５に表示させる。かかるデータを無線で受け取るため、この実施形態の表示部制御基板１２４はアンテナを内蔵している。もっとも、表示部制御基板１２４は、かかるデータを有線で受け取るように構成されていてもよい。
表示部制御基板１２４が受け取る画像のデータは、例えば、コントローラから受け取るようになっている。具体的には、コントローラの内部に設けられたメモリ乃至ハードディスクから無線で送られて来た画像データ、或いはコントローラの内部に設けられたチューナを介して無線で受取ったテレビジョンの画像のデータなどを、表示部制御基板１２４は受け取ることになる。
ディスプレイ１２５は、この実施形態では液晶ディスプレイとされている。ディスプレイ１２５が画像を表示した場合、その画像についての光は自由曲面プリズム１２６に送られるようになっている。
【００３３】
自由曲面プリズム１２６は、断面略三角形状とされた曲面で囲まれたプリズムである。自由曲面プリズム１２６は、その内部で光を２回反射することで、入ってきた光の向きを変え、また、入ってきた光を拡大する。簡単にいうと、自由曲面プリズム１２６は、プリズムとレンズの機能を併せ持ったものである。この実施形態における自由曲面プリズム１２６は、ディスプレイ１２５からの光を図５（ｂ）に示したような経路で反射し、使用者の眼に送るようになっている。この過程で、画像についての光は拡大されるので、使用者は、拡大された適当な大きさで、ディスプレイ１２５に表示された画像を見ることになる。
なお、自由曲面プリズム１２６から使用者の眼へ光を送ることができるようにするため、表示部ケース１２２には、適当な大きさの孔１２２Ｂが開けられている。
【００３４】
以上のような構成の画像表示装置１００を使用する際、画像表示装置１００を眼鏡２００に取付ける必要がある。
画像表示装置１００を眼鏡２００に取付けるには、眼鏡２００のつる２１０に固定的に取り付けられた第１部材１０を、画像表示装置１００に固定的に取り付けられた第２部材２０の貫通孔２４に押し込み、第１部材１０を第２部材２０の貫通孔２４に嵌め込めばよい。
具体的には、第１部材１０を貫通孔２４に押し込むと、Ｕ字部材２１の端部同士がコイルバネ２３の力に抗して離れ、その径が貫通孔２４よりも大きい第１部材１０の部分を受け入れられる程度まで貫通孔２４の径が広がる。さらに第１部材１０を押し込むことにより貫通孔２４の径よりも径の大きい第１部材１０の部分が通過すると、Ｕ字部材２１の端部同士がコイルバネ２３の力により近接し、貫通孔２４の径の大きさが狭まり、元の大きさに戻る。このようにして、第１部材１０を第２部材２０の貫通孔２４に嵌め込むことができる。
すなわち、画像表示装置１００の取付作業は、眼鏡２００の取付つる２１０に固定的に取付けられる第１部材１０を、画像表示装置１００に固定的に取付けられる第２部材の貫通孔２４に嵌め込むだけでよく、ワンタッチで取付けを行うことができる。
図５は、以上のようにして画像表示装置１００を眼鏡２００に取付けた状態を示しており、本実施形態の眼鏡システムを示す図である。
なお、図５（ａ）は、画像表示装置１００中の画像表示部１２０が待機位置にある状態を、図５（ｂ）は画像表示部１２０が使用位置にある状態を示している。また、図５（ａ）、（ｂ）はともに平断面図であるが、眼鏡２００の右半分は図示を省略している。
本実施形態の第１部材１０の厚みと第２部材２０の厚みは略同一とされているので、この図に示すように、第１部材１０を第２部材２０の貫通孔２４に嵌め込んだ際、その厚みは第１部材１０または第２部材２０の厚みと略同一となり、嵩張らないものとすることができる。
なお、画像表示装置１００は、２本ある眼鏡２００のつる２１０の双方に固定することもできるし、つる２１０の一方側にのみ固定することもできる。この実施形態では、画像表示装置１００を、２本ある眼鏡２００のつる２１０の双方に固定する。
【００３５】
次に、眼鏡２００に取り付けた画像表示装置１００の使用方法について説明する。
眼鏡２００に取り付けた画像表示装置１００を使用する際、使用者は、画像表示装置１００の固定された眼鏡２００を頭部に装着する。かかる装着は、この実施形態では、２本のつる２１０のそれぞれを使用者の両耳のそれぞれに係止することにより行う。
【００３６】
この状態では、画像表示装置１００の画像表示部１２０は、図５（ａ）で示された位置にある。このとき画像表示部１２０が存在する位置が待機位置である。
ここで、使用者は、画像表示部１２０を使用位置に移動させるため、図示せぬコントローラのスイッチを操作する。コントローラは、画像表示部１２０を移動させることを指示する信号を生成しそれを本体制御基板１１５に送る。本体制御基板１１５はそれが内蔵するアンテナによりその信号を受取り、モータ１１２を駆動させる。
モータ１１２が駆動すると、モータ１１２のモータ軸１１２Ａが回転し、ウォームギア１１３が回転する。すると、それに伴い、移動体１１４が、図５（ａ）における上方向に移動を開始する。移動体１１４が移動すると、それに伴い、移動体１１４に接続された接続体１１９、接続体１１９にその基端が接続された板バネ１１８、更には板バネ１１８の先端に取付けられた画像表示部１２０が図５（ａ）の上方向に移動する。
ところで、上述したように、レール１１７はその先端が、そのレール１１７を有する画像表示装置１００が取付けられたつる２１０に近い側の眼鏡２００のレンズ２２０の前方に向けてカーブしている。したがって、板バネ１１８は、移動体１１４が図５（ｂ）に示すウォームギア１１３の先端側（図５における上側）に辿りついたとき、その先端が眼鏡２００のレンズ２２０の方向に曲折する。それにより、画像表示部１２０は、その向きを、画像表示部１２０が待機位置にあったときと比べて約９０°変化させ、眼鏡２００のレンズ２２０に略平行となる。板バネ１１８は上述したようにバネ性が強く、図５（ｂ）で示した状態では、レール１１７のカーブの外側方向に向かって伸びようとするのをレール１１７の溝の内側面（より正確には、溝の内側面のうち、カーブの外側に位置する面）に押さえつけられた状態となる。それにより、板バネ１１８は、図５（ｂ）で示した形状を安定して保ちうるので、それによりしっかりと画像表示部１２０を保持できる。ちなみに、図５（ｂ）で示された画像表示部１２０の存在する位置が、使用位置である。画像表示部１２０は、スイッチの操作により、使用位置に自動的に位置決めされることになる。
なお、画像表示部１２０の使用位置は、使用者が望む場合に変更できるようになっていても構わない。それは、使用位置に画像表示部１２０を移動させる場合に移動体１１４をどこまで移動させるかという情報を、例えば、本体制御基板１１５が有する図示せぬメモリや、コントローラの内部にある図示せぬメモリに記録させることで容易に実現することができる。
【００３７】
この状態で、使用者は、画像表示部１２０が備える表示部ケース１２２の角度を上述した球体関節を利用して調整する。この調整も、一度行っておけば頻繁に行う必要はないので、使用者の負担にはなりにくい。
また、本実施形態においては、画像表示装置１００は、着脱機構により眼鏡２００に取り付けられているが、この着脱機構においては、第２部材２０の貫通孔２４が樽形状の第１部材１０の軸周り方向、および軸周り方向と略垂直な方向に摺動可能となっているので、この着脱機構により眼鏡２００に取付けられた画像表示装置１００を第１部材１０の軸周り方向に加えて軸周り方向と略垂直な方向に動かし、適当な位置で位置決めすることができるので、画像表示装置１００の眼鏡２００に対する向きや角度を微調整することができる。
すなわち、使用者は、画像表示装置１００の眼鏡２００に対する向きや角度を、例えば画像を見ながら調整することができる。
【００３８】
この状態でユーザは、コントローラを操作することで、画像についてのデータをコントローラから、画像表示部１２０に送らせることができる。
画像表示部１２０内の表示部制御基板１２４は、そのデータをそれが内蔵するアンテナで受取り、ディスプレイ１２５に送る。ディスプレイ１２５は、そのデータに基づく画像を表示する。ディスプレイ１２５に表示された画像についての光は、ディスプレイ１２５から出て、自由曲面プリズム１２６の内部を通過し、更に眼鏡２００のレンズ２２０を通過して、使用者の眼に至る。それにより、使用者は、画像表示装置１００の取付けられた眼鏡２００をヘッドマウント型表示装置として用いることができるようになる。なお、ディスプレイ１２５から出た光の経路を、図５（ｂ）中にＬの符号により示す。
【００３９】
使用者は、画像を見るのを終了する場合には、コントローラから画像表示部１２０へのデータの送信を中止させるとともに、画像表示部１２０を待機位置に移動させるため、図示せぬコントローラのスイッチを操作する。コントローラは、画像表示部１２０を移動させることを指示する信号を生成しそれを本体制御基板１１５に送る。本体制御基板１１５はそれが内蔵するアンテナによりその信号を受取り、モータ１１２を駆動させる。
モータ１１２が駆動すると、モータ１１２のモータ軸１１２Ａが先程の場合とは逆方向に回転し、それに伴い先程と逆方向にウォームギア１１３が回転する。すると、それに伴い、移動体１１４が、図５（ｂ）における下方向に移動を開始する。移動体１１４が移動すると、それに伴い、接続体１１９、板バネ１１８、および画像表示部１２０が図５（ｂ）の下方向に移動する。それにより、画像表示部１２０は図５（ａ）に示した待機位置に戻ることになる。
【００４０】
使用者は、眼鏡２００を外してもよいし、眼鏡２００をそのまま掛け続けてもよい。
また、眼鏡２００から画像表示装置１００を取り外し、他の眼鏡用アタッチメントを取り付けてもよい。
なお、画像表示装置１００の取り外し作業は、第１部材１０を第２部材２０の貫通孔２４から引き抜くだけでよく、ワンタッチで取り外しを行うことができる。
【００４１】
このように、本実施形態の眼鏡用アタッチメントの着脱機構によれば、眼鏡用アタッチメントの眼鏡に対する位置決め作業および着脱作業を容易にすることができる。
【００４２】
なお、本実施形態では、眼鏡用アタッチメントの着脱機構を構成する第１部材１０は、樽形状に構成されているものとして記載し、第２部材２０はこれに対応するものとして記載したが、これに限られず、第１部材は、凸部と、第１部材を取付つるの外側に取付けるための眼鏡取付部と、を備えており、第２部材は、第１部材の凸部の形状に対応する形状の凹部と、第２部材を眼鏡用アタッチメントに取付けるためのアタッチメント取付部と、を備えており、第１部材の凸部は、第２部材の凹部に、着脱自在に嵌め込むことができるように構成されていれば、どのように構成されていてもよい。
【００４３】
第１部材の凸部および第２部材の凹部の形状は、互いに対して嵌め込み可能な形状に形成されていればどのような形状であってもよく、例えば、第１部材の凸部は、円柱形状に構成されており、円柱形状の凸部を第２部材の凹部に嵌め込んだ際、凹部は、円柱形状の凸部の軸周り方向に摺動可能となっていてもよい。このように構成された着脱機構によれば、凹部が円柱形状の凸部の軸周り方向に摺動可能となっているので、この着脱機構により眼鏡に取付けられた眼鏡用アタッチメントを凸部の軸周り方向に動かすことができ、眼鏡用アタッチメントの眼鏡に対する向きを調整することができる。
【００４４】
また、第１部材を眼鏡に固定的に取り付けるのではなく、眼鏡の取付つるの外側に、眼鏡用アタッチメントを着脱自在に取付けるための凸部が成形された眼鏡を使用してもよい。この凸部は、眼鏡用アタッチメントに取付けられている凹部部材の形状に対応する形状に構成されており、この凹部部材に、着脱自在に嵌め込むことができるように構成されている。
このような眼鏡は、その取付つるの外側に、上述した着脱機構の第１部材の凸部に相当する凸部が形成されているので、任意の眼鏡用アタッチメントに取付けられた凹部部材にこの凸部を嵌め込むことができ、眼鏡用アタッチメントを眼鏡に着脱容易に取付けることができる。
【図面の簡単な説明】
【００４５】
【図１】（ａ）は、本発明の一実施形態による第１部材の構成を示す正面図、（ｂ）は、第１部材の構成を示す左側面図。
【図２】（ａ）は、本発明の一実施形態による第２部材の構成を示す正面図、（ｂ）は、第２部材の構成を示す右側面図。
【図３】本発明の一実施形態による眼鏡に第１部材を固定的に取り付けた状態を示す図。
【図４】本発明の一実施形態による画像表示装置に第２部材を固定的に取り付けた状態を示す図。
【図５】本発明の一実施形態による眼鏡用アタッチメントの着脱機構を使用して画像表示装置を眼鏡に取付けた状態を示す平面断面図であり、（ａ）は、画像表示装置中の画像表示部が待機位置にある状態を示す図、（ｂ）は画像表示部が使用位置にある状態を示す図。
【図６】図５に示した画像表示装置のレールの周辺を、眼鏡のつるの先端方向から見た状態を概略的に示した図。
【符号の説明】
【００４６】
１  眼鏡システム
１０  第１部材
１１，２５  支持孔
２０  第２部材
２１  Ｕ字部材
２２  固定ネジ
２３  コイルバネ
２４  貫通孔
１００  画像表示装置
１１０  本体部
１１２  モータ
１１３  ウォームギア
１１４  移動体
１１６，２４０  ネジ孔
１１７  レール
１１８  板バネ
１２０  画像表示部
１２５  ディスプレイ
１２６  自由曲面プリズム
２００  眼鏡
２１０  つる
【図１】
2010091748.tif 000003
【図２】
2010091748.tif 000004
【図３】
2010091748.tif 000005
【図４】
2010091748.tif 000006
【図５】
2010091748.tif 000007
【図６】
2010091748.tif 000008